(57)【要約】      （修正有）【課題】インクジェット記録装置を長期間にわたって使用しても、インクの吐出安定性が良好な状態で維持されるとともに、ブリーディングが抑制された画像を記録することができるインクジェット記録方法を提供する。【解決手段】第１インク収容部２０１から第２インク収容部２０２へと水性インクを供給するインク供給チューブ１０４を備え、インク供給チューブ１０４が、第１チューブ、第２チューブ、及び第３チューブを含むとともに、第２チューブが第１チューブと第３チューブで挟まれる位置で接合された部分を有するインクジェット記録装置を使用し、水性インクを記録ヘッドから吐出して記録媒体に画像を記録する。シアンインクの温度２５℃での静的表面張力γC（ｍＮ／ｍ）が、イエローインクの温度２５℃での静的表面張力γY（ｍＮ／ｍ）以上であり、シアンインクに対応するチューブが、第２チューブである。【選択図】図２
2017087717.tif 000002
【特許請求の範囲】
【請求項１】
シアンインク、マゼンタインク、及びイエローインクを含む複数の水性インクと、大気連通部を有する第１インク収容部と、第２インク収容部と、熱エネルギーの作用により前記水性インクを吐出する記録ヘッドと、前記第１インク収容部から前記第２インク収容部へと前記水性インクを供給するチューブと、を備え、
前記第２インク収容部が、熱可塑性樹脂で形成された筐体であるとともに、他の部材を介在させることなく前記記録ヘッドが貼り合わされており、
前記チューブが、前記水性インクのそれぞれに対応する第１チューブ、第２チューブ、及び第３チューブを含むとともに、前記第２チューブが前記第１チューブと前記第３チューブで挟まれる位置で接合された部分を有するインクジェット記録装置を使用し、
前記水性インクを前記記録ヘッドから吐出して記録媒体に画像を記録するインクジェット記録方法であって、
前記シアンインクの温度２５℃での静的表面張力γC（ｍＮ／ｍ）が、前記イエローインクの温度２５℃での静的表面張力γY（ｍＮ／ｍ）以上であり、
前記シアンインクに対応するチューブが、前記第２チューブであることを特徴とするインクジェット記録方法。
【請求項２】
前記シアンインク、前記マゼンタインク、及び前記イエローインクが、いずれも染料を含有する請求項１に記載のインクジェット記録方法。
【請求項３】
前記シアンインクの温度２５℃での静的表面張力γC（ｍＮ／ｍ）と、前記イエローインクの温度２５℃での静的表面張力γY（ｍＮ／ｍ）の差が、０．５ｍＮ／ｍ以上である請求項１又は２に記載のインクジェット記録方法。
【請求項４】
前記マゼンタインクの温度２５℃での静的表面張力γM（ｍＮ／ｍ）が、前記イエローインクの温度２５℃での静的表面張力γY（ｍＮ／ｍ）以上である請求項１乃至３のいずれか１項に記載のインクジェット記録方法。
【請求項５】
前記チューブの水蒸気透過量が、５．０ｇ／（ｍ2・２４ｈ）以下である請求項１乃至４のいずれか１項に記載のインクジェット記録方法。
【請求項６】
前記第２インク収容部に収容された前記水性インクの温度Ｔ2（℃）と、前記第１インク収容部に収容された前記水性インクの温度Ｔ1（℃）の差が、５℃以上である請求項１乃至５のいずれか１項に記載のインクジェット記録方法。
【請求項７】
前記他の部材が、放熱板である請求項１乃至６のいずれか１項に記載のインクジェット記録方法。
【請求項８】
請求項１乃至７のいずれか１項に記載のインクジェット記録方法に用いられるインクジェット記録装置であって、
シアンインク、マゼンタインク、及びイエローインクを含む複数の水性インクと、大気連通部を有する第１インク収容部と、第２インク収容部と、熱エネルギーの作用により前記水性インクを吐出する記録ヘッドと、前記第１インク収容部から前記第２インク収容部へと前記水性インクを供給するチューブと、を備え、
前記第２インク収容部が、熱可塑性樹脂で形成された筐体であるとともに、他の部材を介在させることなく前記記録ヘッドが貼り合わされており、
前記チューブが、前記水性インクのそれぞれに対応する第１チューブ、第２チューブ、及び第３チューブを含むとともに、前記第２チューブが前記第１チューブと前記第３チューブで挟まれる位置で接合された部分を有し、
前記シアンインクの温度２５℃での静的表面張力γC（ｍＮ／ｍ）が、前記イエローインクの温度２５℃での静的表面張力γY（ｍＮ／ｍ）以上であり、
前記シアンインクに対応するチューブが、前記第２チューブであることを特徴とするインクジェット記録装置。
【発明の詳細な説明】
【技術分野】
【０００１】
本発明は、インクジェット記録方法、及びインクジェット記録装置に関する。
【背景技術】
【０００２】
インクジェット記録方法によれば、様々な記録媒体へ画像を記録することができる。そして、より良好な画像を得るため、例えば、光沢紙などに写真画質の画像を記録するのに適したインクや、普通紙などに文書を記録するのに適したインクなど、目的に応じた種々のインクが提案されている。
【０００３】
近年では、記録媒体として普通紙などを用い、文字や図表などを含むビジネス文書などの記録にもインクジェット記録方法が利用されており、このような用途への使用頻度が格段に高まってきている。また、インクジェット記録方法の技術の発展に伴い、長期間の使用に耐えるべく、インクジェット記録装置の耐久性や信頼性を高めるとともに、記録可能枚数を多くして高い生産性を実現することが要求されるようになっている。このような要求に対し、例えば、記録ヘッドの吐出口からインクを吸引して不吐出を改善する、いわゆるパージ回復性を高めた、表面張力が高く、溶存酸素量が少ないインクジェット用のインクが提案されている（特許文献１）。
【先行技術文献】
【特許文献】
【０００４】
【特許文献１】特開２００４−０８３６２１号公報
【発明の概要】
【発明が解決しようとする課題】
【０００５】
本発明者らは、生産性を高めるべく、インク収容部としてメインタンク及びサブタンクを設け、収容されるインクの量を増大させたインクジェット記録装置について検討した。そして、特許文献１で提案された溶存酸素量が少ないインクを用いた場合に、信頼性が高まる傾向にあることを確認した。しかし、上記のインクジェット記録装置を使用し、長期間にわたってインクを吐出させて記録すると、溶存酸素量の少ないインクを用いた場合であっても画像に徐々に乱れが生じやすくなるという別の課題が生ずることが判明した。さらに、長期間にわたって上記のインクジェット記録装置を使用した場合、ブリーディングが生じやすくなることがわかった。
【０００６】
したがって、本発明の目的は、メインタンク及びサブタンクをインク収容部として備えたインクジェット記録装置を長期間にわたって使用した場合に生ずる課題を解決することにある。すなわち、上記のインクジェット記録装置を長期間にわたって使用しても、インクの吐出安定性が良好な状態で維持されるとともに、ブリーディングが抑制された画像を記録することができるインクジェット記録方法を提供することにある。また、本発明の別の目的は、前記インクジェット記録方法に用いられるインクジェット記録装置を提供することにある。
【課題を解決するための手段】
【０００７】
上記の目的は以下の本発明によって達成される。すなわち、本発明によれば、シアンインク、マゼンタインク、及びイエローインクを含む複数の水性インクと、大気連通部を有する第１インク収容部と、第２インク収容部と、熱エネルギーの作用により前記水性インクを吐出する記録ヘッドと、前記第１インク収容部から前記第２インク収容部へと前記水性インクを供給するチューブと、を備え、前記第２インク収容部が、熱可塑性樹脂で形成された筐体であるとともに、他の部材を介在させることなく前記記録ヘッドが貼り合わされており、前記チューブが、前記水性インクのそれぞれに対応する第１チューブ、第２チューブ、及び第３チューブを含むとともに、前記第２チューブが前記第１チューブと前記第３チューブで挟まれる位置で接合された部分を有するインクジェット記録装置を使用し、前記水性インクを前記記録ヘッドから吐出して記録媒体に画像を記録するインクジェット記録方法であって、前記シアンインクの温度２５℃での静的表面張力γC（ｍＮ／ｍ）が、前記イエローインクの温度２５℃での静的表面張力γY（ｍＮ／ｍ）以上であり、前記シアンインクに対応するチューブが、前記第２チューブであることを特徴とするインクジェット記録方法が提供される。
【発明の効果】
【０００８】
本発明によれば、メインタンク及びサブタンクをインク収容部として備えたインクジェット記録装置を長期間にわたって使用した場合に生ずる課題を解決することができる。すなわち、上記のインクジェット記録装置を長期間にわたって使用しても、インクの吐出安定性が良好な状態で維持されるとともに、ブリーディングが抑制された画像を記録することができるインクジェット記録方法を提供することができる。また、本発明によれば、このインクジェット記録方法に用いられるインクジェット記録装置を提供することができる。
【図面の簡単な説明】
【０００９】
【図１】本発明のインクジェット記録装置の一実施形態を模式的に示す斜視図である。
【図２】インク供給系の一例を示す模式図である。
【図３】インク供給チューブの一例を模式的に示す断面図である。
【発明を実施するための形態】
【００１０】
以下に、好ましい実施の形態を挙げて、さらに本発明を詳細に説明する。なお、以下、インクジェット用の水性インクのことを「インク」、第１インク収容部のことを「メインタンク」、第２インク収容部のことを「サブタンク」と記載することがある。また、物性値は、特に断りのない限り、常温（２５℃）における値とする。
【００１１】
まず、本発明者らは、大気連通部を有するメインタンク及びサブタンクを有するインクジェット記録装置を使用し、長期間にわたってインクを吐出させた場合に生ずる画像の乱れの原因について検討した。その結果、記録ヘッドからインクを吐出して多くの画像を記録する過程で、記録ヘッドのインク流路に気泡が侵入しやすくなり、侵入した気泡によってインクの正常な吐出が妨げられ、画像が乱れるようになることがわかった。次に、本発明者らは、上記のような現象が生ずる理由について詳細に調べた。その結果、メインタンクにおいて溶存ガス量が増加したインクが、サブタンクを経由して記録ヘッドへと供給されていくために、記録ヘッドのインク流路に気泡が付着し、インクの正常な吐出が妨げられることがわかった。以下、これらの現象について説明する。
【００１２】
生産性を高めるべく、容量の大きなメインタンクを設けたインクジェット記録装置を用いる場合を想定する。また、このメインタンクは大気連通部を有する。このようなインクジェット記録装置を使用し、長期間にわたって記録ヘッドからインクを吐出してインクを消費させると以下のような現象が起こる。すなわち、インクの消費に伴い、メインタンク内のインクの液面が低くなるとともに、大気連通部を通じてメインタンク内に空気が導入される。容量の大きなメインタンクの場合、多くの空気を取り込んで液面が徐々に低下するが、インクが収容されている期間が長い。したがって一般的な容量のタンクを設けた従来のインクジェット記録装置と比べて、容量の大きなメインタンクを設けたインクジェット記録装置の場合、インクが空気と接触する期間が顕著に長くなる。このため、インクに空気が溶け込みやすく、インク中の溶存ガス量は徐々に増加する。
【００１３】
メインタンク内で溶存ガス量が増加したインクがサブタンクを経由して記録ヘッドへと供給されていく過程では、以下のような現象が生ずると考えられる。インク供給系は、インク供給チューブ、サブタンク、及び記録ヘッドのインク流路など、様々な流路径を有する部材で構成されている。そして、流路径の変化によりインクの流れが急激に変化するポイントが存在する。溶存ガス量が多いインクの場合、このようなポイントの付近でインクの流れが急激に変化すると、気泡が形成されやすくなる。形成された気泡はインクの供給に伴い記録ヘッドに到達し、インク流路に付着するため、インクの正常な吐出が妨げられると考えられる。
【００１４】
本発明者らは、インク中の溶存ガス量が増加しやすい状況下であっても、インク流路への気泡の侵入を抑制し、インクの吐出安定性を良好な状態で維持するための手法について検討した。その結果、インク流路への気泡の侵入は、発生した気泡をインク流路から遠ざかる方向に移動しやすくすることで抑制されることを見出した。そして、気泡をインク流路から遠ざかる方向に移動しやすくするための構成について、本発明者らはさらに検討した。その結果、サブタンクが熱可塑性樹脂で形成された筐体であること、及びこのサブタンク（筐体）に、放熱板などの他の部材を介在させることなく記録ヘッド（記録素子基板）が貼り合わされた構成のものを用いることが有効であることを見出した。このような構成のサブタンクを設けることで、インク流路への気泡の侵入が抑制され、長期間にわたってインクを吐出させた場合であってもインクの吐出安定性が良好な状態で維持されるメカニズムは、以下のように推測される。すなわち、放熱板などの熱を逃がす手段が存在しないため、インクの吐出のために記録ヘッドに付与される熱エネルギーがサブタンク中のインクにも伝わり、インクの温度が上昇する。インクの温度上昇に伴い、気泡が膨張して密度が小さくなるため、重力方向（インクの流れ方向）と逆の方向に気泡が移動しやすくなると推測される。
【００１５】
インクジェット記録方法では、一般的に、シアン、マゼンタ、及びイエローの各インクの明度と表面張力は、逆の相関を持たせるように調整されている。特に、明度差が大きいシアンインク及びイエローインクについては、シアンインクの静的表面張力γC（ｍＮ／ｍ）が、イエローインクの静的表面張力γY（ｍＮ／ｍ）以上となるように、すなわち、γC≧γYの関係を満たすように設計することが好ましい。これにより、シアンインクで記録される画像とイエローインクで記録される画像が隣接する場合、シアンインクの表面張力がイエローインクよりも高いと、高明度のイエローインクが低明度のシアンインク側に流れ込む。このため、インクの滲みが目立たなくなり、耐ブリーディング性を向上させることができる。また、シアンインクとイエローインクの表面張力が同じであると、インクの流れが生じにくいので、インクのにじみが目立たなくなり、耐ブリーディング性を向上させることができる。
【００１６】
但し、シアンインクとイエローインクの表面張力の関係を上記のように設計した場合であっても、インクの蒸発により意図した設計が崩れてしまい、所望とする耐ブリーディング性が得られない場合があることがわかった。より具体的には、容量の大きいメインタンクを設けたインクジェット記録装置の場合、装置の構成部材、特にインク供給チューブからインクが蒸発しやすい。このため、各チューブが同等の材質で形成される場合、インク間の蒸発率の違いにより、表面張力が初期の設計からずれてしまい、所望とする耐ブリーディング性が得られなくなることが判明した。インク供給チューブが、インクのそれぞれに対応する第１チューブ、第２チューブ、及び第３チューブを含むとともに、第２チューブが第１チューブと第３チューブで挟まれる位置で接合された部分を有する場合、インクの蒸発率に差が生じやすくなる。これは、第１チューブ及び第３チューブと、第２チューブとでは、チューブの表面積、すなわち空気との接触面積が異なるためであると考えられる。また、シアンインクに対応するチューブが第１チューブ又は第３チューブであるとともに、イエローインクに対応するチューブが第２チューブであると、シアンインクの蒸発率がイエローインクの蒸発率よりも高くなる。このため、初期に設計していた表面張力の関係が崩れやすく、耐ブリーディング性が低下することがわかった。
【００１７】
インク流路への気泡の侵入を抑制してインクの吐出安定性を良好な状態に維持すべく、以下の構成を採用することを想定する。すなわち、熱可塑性樹脂で形成された筐体をサブタンクとし、このサブタンクに、放熱板などの他の部材を介在させることなく記録ヘッド（記録素子基板）を貼り合わせた構成のものを用いる場合を想定する。この場合、放熱板などの熱を逃がす手段が存在しないため、記録ヘッドのインク流路において温度ムラが生じやすくなる。したがって、インク中の水分の蒸発によって明度の低いシアンインク中の色材の濃度が高くなりやすく、インク間の表面張力の関係が崩れることによって耐ブリーディング性がさらに低下することになる。このような現象は、光学濃度の高い画像を記録する際に特に顕著に生ずる。以上の内容を考慮し、本発明者らがさらに検討した結果、上述の構造部分を有するインク供給チューブを用いる場合、以下に示す（ｉ）及び（ｉｉ）の要件を満たすことが重要であることを見出した。
（ｉ）シアンインクの静的表面張力γC（ｍＮ／ｍ）が、イエローインクの静的表面張力γY（ｍＮ／ｍ）以上である。
（ｉｉ）シアンインクに対応するチューブが、第２チューブである。
【００１８】
上記（ｉ）及び（ｉｉ）の要件を満たすことで、シアンインクの蒸発を抑制し、当初設計したインク間の表面張力の関係によって良好な耐ブリーディング性を維持することができる。より効果的にブリーディングを抑制するには、シアンインク及びイエローインクの静的表面張力にある程度差があることが好ましい。具体的には、シアンインクの温度２５℃での静的表面張力γC（ｍＮ／ｍ）と、イエローインクの温度２５℃での静的表面張力γY（ｍＮ／ｍ）の差を０．５ｍＮ／ｍ以上とすることが好ましい。また、シアンインク及びイエローインクの静的表面張力の差は、３．０ｍＮ／ｍ以下であることが好ましく、２．０ｍＮ／ｍ以下であることがさらに好ましい。
【００１９】
マゼンタインク及びイエローインクのブリーディングを効果的に抑制するには、マゼンタインクの静的表面張力γM（ｍＮ／ｍ）が、イエローインクの静的表面張力γY（ｍＮ／ｍ）以上であることが好ましい。マゼンタインクとイエローインクの表面張力の関係を上記のように設定した場合、シアン、マゼンタ、及びイエローの３種のインクの全てにおいて、明度と表面張力が逆の関係になる。このため、記録されるカラー画像の全体にわたってブリーディングを抑制することができる。但し、明度差が大きいシアンインク及びイエローインクの組み合わせに比べて、より明度差が小さいマゼンタインク及びイエローインクの組み合わせ、並びにシアンインク及びマゼンタインクの組み合わせでは、ブリーディングが目立ちにくい。このため、インクの蒸発によって表面張力にずれが生じた場合であっても、シアンインク及びイエローインクの組み合わせと比べるとあまり問題とはならない。マゼンタインクの静的表面張力γM（ｍＮ／ｍ）と、イエローインクの静的表面張力γY（ｍＮ／ｍ）の差は、０．５ｍＮ／ｍ以上３．０ｍＮ／ｍ以下であることが好ましく、０．５ｍＮ／ｍ以上２．０ｍＮ／ｍ以下であることがさらに好ましい。
【００２０】
以下、本発明のインクジェット記録方法、このインクジェット記録方法で好適に用いることができるインクジェット記録装置、記録ヘッド、及び水性インクなどについてそれぞれ説明する。
【００２１】
＜インクジェット記録装置の概略構成＞
本発明のインクジェット記録方法は、複数の水性インク、大気連通部を有する第１インク収容部、第２インク収容部、記録ヘッド、及びインク供給チューブを備えたインクジェット記録装置を使用する記録方法である。インク供給チューブは、第１インク収容部から第２インク収容部へと水性インクを供給するチューブである。以下、本発明のインクジェット記録方法及びそれに用いるインクジェット記録装置の詳細について、図面を参照しつつ説明する。
【００２２】
図１は、本発明のインクジェット記録装置の一実施形態を模式的に示す斜視図である。図１に示す実施形態のインクジェット記録装置は、Ｘ方向（主走査方向）に記録ヘッドを往復走査させて記録動作を行う、いわゆるシリアル方式のインクジェット記録装置である。記録媒体１０１は、搬送ローラ１０７によってＹ方向（副走査方向）へと間欠的に搬送される。キャリッジ１０３に搭載された記録ユニット１０２は、記録媒体１０１の搬送方向であるＹ方向と直交するＸ方向（主走査方向）に往復走査される。そして、記録媒体１０１のＹ方向への搬送と、記録ユニット１０２のＸ方向への往復走査によって、記録動作が行われる。
【００２３】
図２は、インク供給系の一例を示す模式図である。図２に示すように、記録ユニット１０２は、供給されるインクを複数の吐出口から吐出するインクジェット方式の記録ヘッド２０３と、第２インク収容部としてのサブタンク２０２とで構成されている。この記録ユニット１０２は、図１に示すようにキャリッジ１０３に搭載されている。キャリッジ１０３は、Ｘ方向に沿って配置されたガイドレール１０５に沿って移動可能に支持されており、ガイドレール１０５と並行に移動する無端ベルト１０６に固定されている。無端ベルト１０６は、モータの駆動力によって往復運動する。無端ベルト１０６の往復運動によって、キャリッジ１０３がＸ方向に往復走査される。
【００２４】
メインタンク収容部１０８の内部には、第１インク収容部としてのメインタンク２０１（図２）が収納される。メインタンク収容部１０８に収納されたメインタンク２０１と、記録ユニット１０２のサブタンク２０２とは、インク供給チューブ１０４によって接続される。インクは、メインタンク２０１からインク供給チューブ１０４を介してサブタンク２０２に供給された後、記録ヘッド２０３の吐出口から吐出されるが、これらの部材はインクの種類に対応した数で設けることができる。
【００２５】
メインタンク２０１内に収容されたインク（ハッチングで示す）は、インク供給チューブ１０４を介してサブタンク２０２に供給された後、記録ヘッド２０３へと供給される。メインタンク２０１には、大気連通部としての気体導入チューブ２０４が接続されている。画像記録によってインクが消費されると、メインタンク２０１からサブタンク２０２へとインクが供給され、メインタンク２０１内のインクが減少する。そして、メインタンク２０１内のインクの減少に伴い、その一端が大気に開放されている気体導入チューブ２０４からメインタンク２０１内に空気が導入されることにより、インク供給系においてインクを保持するための負圧が略一定に保たれる。
【００２６】
第１インク収容部及び第２インク収容部（筺体）は、ポリエステル、ポリカーボネート、ポリプロピレン、ポリエチレン、ポリスチレン、ポリフェニレンエーテルなどの熱可塑性樹脂；これらの熱可塑性樹脂の混合物や改質物などで形成することができる。筺体の内部には、インクを保持するための負圧を発生しうるインク吸収体を配設してもよい。インク吸収体としては、ポリプロピレンやポリウレタンなどの樹脂製の繊維を圧縮したものが好ましい。また、筐体の内部にインク吸収体を配設せず、筺体の内部にインクを収容してもよい。
【００２７】
メインタンク２０１は、タンク交換やインク充填の頻度を低減したり、記録可能枚数を多くすることで高い生産性を実現したりするためには、インク最大収容量Ｖ1（ｍＬ）を多くすることが好ましい。具体的には、メインタンク２０１のインク最大収容量Ｖ1（ｍＬ）は、６０ｍＬ以上２００ｍＬ以下であることが好ましく、６０ｍＬ以上１５０ｍＬ以下であることがさらに好ましい。また、メインタンク２０１の初期のインク充填量は、インク最大収容量を基準として、９５％程度までとすることが好ましい。
【００２８】
サブタンク２０２も、メインタンク２０１からのインク供給の頻度を低減したり、記録ヘッド２０３へのインク供給を安定に行ったりするためには、インク最大収容量Ｖ2（ｍＬ）を多くすることが好ましい。但し、例えば、図１に示すようなシリアル方式として、キャリッジ１０３にサブタンク２０２を搭載する形態を想定すると、サブタンク２０２のインク最大収容量Ｖ2（ｍＬ）は多くし過ぎないことが好ましい。すなわち、あまりに多くのインクがサブタンク２０２に収容された場合、記録ユニット１０２の大型化を招き、キャリッジ１０３の移動速度が低下したり、キャリッジ１０３を移動させる無端ベルト１０６やモータの強度を高めたりする必要が生じる。したがって、サブタンク２０２のインク最大収容量Ｖ2（ｍＬ）は、１ｍＬ以上３５ｍＬ以下であることが好ましく、２ｍＬ以上２０ｍＬ以下であることがさらに好ましく、５ｍＬ以上１５ｍＬ以下であることが特に好ましい。
【００２９】
図２に示す実施形態の記録ユニット１０２は、記録ヘッド２０３とサブタンク２０２で構成されている。サブタンクが装着され、かつ、記録ヘッドが組み込まれたヘッドカートリッジである記録ユニットがキャリッジに装着されていてもよい。また、サブタンクと記録ヘッドが一体的に構成された記録ユニットがキャリッジに装着されていてもよい。本発明においては、図１及び２に示すように、第２インク収容部であるサブタンク２０２が熱可塑性樹脂で形成された筐体であるとともに、放熱板などの他の部材を介在させることなく記録ヘッド（記録素子基板）２０３が直接貼り合わされている。なお、筺体と記録素子基板とを貼り合わせるための接着剤などの存在を除外するものではない。また、記録ヘッド２０３のインク吐出方式は、熱エネルギーをインクに付与して吐出する方式である。
【００３０】
第２インク収容部であるサブタンク２０２に収容された水性インクの温度Ｔ2（℃）と、第１インク収容部であるメインタンク２０１に収容された水性インクの温度Ｔ1（℃）の差は、５℃以上であることが好ましい。温度Ｔ2（℃）と温度Ｔ1（℃）の差を５℃以上とすることで、インクの吐出安定性をさらに向上させることができる。温度Ｔ2（℃）と温度Ｔ1（℃）の差は、４０℃以下であることが好ましく、３０℃以下であることがさらに好ましく、２０℃以下であることが特に好ましい。メインタンク２０１に収容されたインクの温度Ｔ1（℃）は、５℃以上４０℃以下であることが好ましく、１０℃以上３５℃以下がさらに好ましく、１５℃以上３０℃以下が特に好ましい。また、サブタンク２０２に収容されたインクの温度Ｔ2（℃）は、１０℃以上５０℃以下であることが好ましく、１５℃以上４５℃以下がさらに好ましく、２０℃以上４０℃以下が特に好ましい。
【００３１】
メインタンク２０１及びサブタンク２０２のそれぞれに収容されたインクの温度を調整する手段は特に限定されない。例えば、タンクの外部又は内部にインク温度調整ユニットを設けることができる。インク温度調整ユニットとしては、インクを冷却するユニット、加熱するユニット、また、一定の温度に調整しておくユニットなどを挙げることができる。本発明においては、メインタンク２０１にはインク温度調整ユニットを設けず、サブタンク２０２に収容されたインクの温度を調整することによって、温度Ｔ2（℃）と温度Ｔ1（℃）の差を調整することが好ましい。
【００３２】
図３は、インク供給チューブの一例を模式的に示す断面図である。図３に示すように、インク供給チューブ１０４は、水性インクのそれぞれに対応する第１チューブ３０１、第２チューブ３０２、及び第３チューブ３０３を含む。また、第２チューブ３０２が、第１チューブ３０１と第３チューブ３０３で挟まれる位置で接合された部分を有する。そして、シアンインクに対応するチューブが、第２チューブ３０２である。マゼンタインク及びイエローインクに対応するチューブは、第１チューブ３０１及び第３チューブ３０３のいずれであってもよい。なお、インク供給チューブには、シアン、マゼンタ、及びイエローの各インクに対応するチューブの他に、例えばブラックインクに対応するチューブがさらに接合されていてもよい。これは、ブラックインクに対応するチューブがさらに接合されていたとしても、シアンインクに対応するチューブが他のチューブに挟まれる位置にあることは変わらないからである。
【００３３】
インク供給チューブの水蒸気透過量は、５．０ｇ／（ｍ2・２４ｈ）以下であることが好ましい。インク供給チューブの水蒸気透過量が５．０ｇ／（ｍ2・２４ｈ）超であると、インクの吐出安定性がやや低下する場合がある。インク供給チューブの水蒸気透過量は、ＪＩＳ  Ｋ  ７１２９の規定に準拠し、厚さ０．５ｍｍのシート状材料を用いて温度２３℃で測定される。インク供給チューブの水蒸気透過量は、１．５ｇ／（ｍ2・２４ｈ）以上であることが好ましく、３．０ｇ／（ｍ2・２４ｈ）以上であることがさらに好ましい。
【００３４】
インク供給チューブは、樹脂材料を管状に成形した部材である。チューブを構成する樹脂材料は、単一の樹脂材料であっても、２種以上の樹脂材料の組み合わせであってもよい。また、各種の添加剤を配合した樹脂材料であってもよい。チューブの構造は、単層構造であっても積層構造であってもよい。樹脂材料としては、成形性、ゴム弾性、及び柔軟性に優れることから熱可塑性エラストマーが好ましい。熱可塑性エラストマーとしては、オレフィン系、ウレタン系、エステル系、スチレン系、塩化ビニル系などの樹脂を挙げることができる。なかでも、柔軟性及びゴム弾性に特に優れているため、スチレン系熱可塑性エラストマーが好ましい。樹脂材料に配合される添加剤としては、例えば、軟化剤、滑剤、界面活性剤、酸化防止剤、老化防止剤、接着付与剤、顔料などを挙げることができる。
【００３５】
チューブの内径や肉厚は、成形などの生産性、記録装置内で引き回される際の曲げ剛性、インク供給性、ガスバリア性などの観点から適宜に設定することができる。例えば、チューブの内径は１ｍｍ以上５ｍｍ以下であることが好ましく、１ｍｍ以上３ｍｍ以下であることがさらに好ましい。また、チューブの肉厚は０．５ｍｍ以上５ｍｍ以下であることが好ましく、０．５ｍｍ以上３ｍｍ以下であることがさらに好ましい。第２チューブは第１チューブと第３チューブに挟まれた位置で接合されているため、その断面は円形とはならないが、第２チューブの肉厚は最長径の円相当径として考えるものとする。
【００３６】
＜水性インク＞
本発明のインクジェット記録方法では、シアンインク、マゼンタインク、及びイエローインクを含む複数の水性インクを備えたインクジェット記録装置を使用する。そして、このインクジェット記録装置を使用し、水性インクを熱エネルギーの作用により記録ヘッドから吐出して記録媒体に画像を記録する。本発明のインクジェット記録方法においては、水性インクに接触した際に反応や増粘を生じる液体と併用する必要はない。以下、シアンインク、マゼンタインク、及びイエローインクを含む複数の水性インクの詳細について説明する。
【００３７】
（色材）
色材としては、顔料や染料を用いることができる。水性インク中の色材の含有量（質量％）は、インク全質量を基準として、０．１質量％以上１５．０質量％以下であることが好ましく、１．０質量％以上１０．０質量％以下であることがさらに好ましい。
【００３８】
色材として顔料を用いる場合、顔料の分散方式は特に限定されない。例えば、樹脂分散剤により分散させた樹脂分散顔料、界面活性剤により分散させた顔料、及び顔料の粒子表面の少なくとも一部を樹脂などで被覆したマイクロカプセル顔料などを用いることができる。また、顔料の粒子表面にアニオン性基などの親水性基を含む官能基を結合させた自己分散顔料や、顔料の粒子表面に高分子を含む有機基を化学的に結合させた顔料（樹脂結合型の自己分散顔料）などを用いることもできる。勿論、分散方式の異なる顔料を組み合わせて使用することも可能である。
【００３９】
色材として用いることができる顔料の種類は特に限定されない。顔料の具体例としては、カーボンブラックなどの無機顔料；アゾ、フタロシアニン、キナクリドン、イソインドリノン、イミダゾロン、ジケトピロロピロール、ジオキサジンなどの有機顔料を挙げることができる。これらの顔料は、必要に応じて１種又は２種以上を用いることができる。
【００４０】
色材として用いることができる染料の種類は特に限定されない。染料の具体例としては、直接染料、酸性染料、塩基性染料、分散染料、食用染料などを挙げることができる。なかでも、アニオン性基を有する染料を用いることが好ましい。染料骨格の具体例としては、アゾ、トリフェニルメタン、フタロシアニン、アザフタロシアニン、キサンテン、アントラピリドンなどを挙げることができる。
【００４１】
３種のインク（シアンインク、マゼンタインク、及びイエローインク）は、いずれも色材として染料を含有することが好ましい。水性インク中に粒子が分散した状態で存在する顔料と異なり、染料は水性インク中に溶解した状態で存在している。このため、サブタンク内のインク中に生じた気泡が粒子に邪魔されることなく、重力の反対方向へと移動しやすく、インクの吐出安定性をより高めることができる。一方、３種のインクが色材として顔料を含有する場合、気泡の移動が粒子に邪魔されやすいとともに、顔料に吸着した気泡が顔料とともにインク流路に侵入しやすくなる。このため、インクの吐出安定性がやや低下する場合がある。
【００４２】
（水性媒体）
水性インクには、水、又は、水及び水溶性有機溶剤の混合溶媒である水性媒体を含有させることができる。水溶性有機溶剤としては、アルコール類、（ポリ）アルキレングリコール類、グリコールエーテル類、その他の含窒素化合物類、含硫黄化合物類などのインクジェット用のインクに使用可能なものを挙げることができる。これらの水溶性有機溶剤は、１種又は２種以上を用いることができる。通常「水溶性有機溶剤」とは液体を意味するが、本発明においては、２５℃（常温）で固体であるものも水溶性有機溶剤に含めることとする。インクに汎用であり、２５℃で固体である水溶性有機溶剤の具体例としては、１，６−ヘキサンジオール、トリメチロールプロパン、エチレン尿素、尿素、数平均分子量１，０００のポリエチレングリコールなどを挙げることができる。水性インク中の水溶性有機溶剤の含有量（質量％）は、インク全質量を基準として、３．０質量％以上５０．０質量％以下であることが好ましい。また、水としては、脱イオン水やイオン交換水を用いることが好ましい。水性インク中の水の含有量（質量％）は、インク全質量を基準として、５０．０質量％以上９５．０質量％以下であることが好ましい。
【００４３】
（その他の成分）
水性インクには、必要に応じて、界面活性剤、消泡剤、ｐＨ調整剤、防腐剤、防黴剤、酸化防止剤、還元防止剤などの種々の添加剤を含有させてもよい。
【００４４】
（インクの物性）
水性インクの２５℃での粘度は、１．０ｍＰａ・ｓ以上５．０ｍＰａ・ｓ以下であることが好ましく、１．０ｍＰａ・ｓ以上３．０ｍＰａ・ｓ以下であることがさらに好ましい。インクの２５℃での静的表面張力は、２５．０ｍＮ／ｍ以上４５．０ｍＮ／ｍ以下であることが好ましく、３０．０ｍＮ／ｍ以上４０．０ｍＮ／ｍ以下であることがさらに好ましい。また、インクの２５℃でのｐＨは、５以上９以下であることが好ましい。
【００４５】
各インクの表面張力は、例えば、界面活性剤や水溶性有機溶剤を用いて調整することができる。界面活性剤の種類は特に限定されない。界面活性剤としては、例えば、炭化水素系、フッ素系、シリコーン系などの骨格を有するものを挙げることができる。また、ノニオン性、アニオン性、カチオン性、及び両性などのいずれの界面活性剤であってもよい。水性インク中の界面活性剤の含有量（質量％）は、インク全質量を基準として、０．１質量％以上５．０質量％以下であることが好ましく、０．５質量％以上１．５質量％以下であることがさらに好ましい。表面張力を調整するのに用いる水溶性有機溶剤としては、アルコール類、グリコールエーテル類などの浸透性溶剤が好ましい。また、界面活性剤と水溶性有機溶剤を併用して水性インクの表面張力を調整してもよい。
【実施例】
【００４６】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００４７】
＜色材を含む液体の調製＞
（染料水溶液１）
染料（Ｃ．Ｉ．ダイレクトブルー１９９）をイオン交換水に溶解させた後、酸を添加して染料を析出させた。析出した染料をろ過して分取し、遊離酸型の染料のウェットケーキを得た。得られたウェットケーキをイオン交換水に加え、染料のアニオン性基と当量の水酸化ナトリウムの水溶液を添加し、アニオン性基を全て中和して染料を溶解させた。さらに適量のイオン交換水を加えて、染料の含有量が１０．０％である染料水溶液１を得た。
【００４８】
（染料水溶液２）
染料をＣ．Ｉ．アシッドブルー９に代えたこと以外は染料水溶液１と同様の手順で、染料の含有量が１０．０％である染料水溶液２を得た。
【００４９】
（染料水溶液３）
染料をＣ．Ｉ．アシッドレッド２８９に代えたこと以外は染料水溶液１と同様の手順で、染料の含有量が１０．０％である染料水溶液３を得た。
【００５０】
（染料水溶液４）
染料をＣ．Ｉ．アシッドレッド２４９に代えたこと以外は染料水溶液１と同様の手順で、染料の含有量が１０．０％である染料水溶液４を得た。
【００５１】
（染料水溶液５）
染料をＣ．Ｉ．ダイレクトイエロー１３２に代えたこと以外は染料水溶液１と同様の手順で、染料の含有量が１０．０％である染料水溶液５を得た。
【００５２】
（染料水溶液６）
染料をＣ．Ｉ．ダイレクトイエロー８６に代えたこと以外は染料水溶液１と同様の手順で、染料の含有量が１０．０％である染料水溶液６を得た。
【００５３】
（顔料分散液１）
自己分散顔料（シアン顔料）を含む市販の顔料分散液（商品名「ＣＡＢ−Ｏ−ＪＥＴ２５０Ｃ」、キャボット製）を顔料分散液１として用いた。顔料分散液１中の顔料の含有量は１５．０％であった。
【００５４】
（顔料分散液２）
自己分散顔料（マゼンタ顔料）を含む市販の顔料分散液（商品名「ＣＡＢ−Ｏ−ＪＥＴ２６５Ｍ」、キャボット製）を顔料分散液２として用いた。顔料分散液２中の顔料の含有量は１５．０％であった。
【００５５】
（顔料分散液３）
自己分散顔料（イエロー顔料）を含む市販の顔料分散液（商品名「ＣＡＢ−Ｏ−ＪＥＴ２７０Ｙ」、キャボット製）を顔料分散液３として用いた。顔料分散液３中の顔料の含有量は１５．０％であった。
【００５６】
＜インクの調製＞
表１−１〜１−３の上段に示す各成分（単位：％）を混合して十分に撹拌した後、ポアサイズ３．０μｍのミクロフィルター（富士フイルム製）にて加圧ろ過を行い、各インクを調製した。表１−１〜１−３中の「アセチレノールＥ１００」は、川研ファインケミカル製の界面活性剤（アセチレングリコールのエチレンオキサイド〔１０モル〕付加物）の商品名である。インクの調製に当たっては、得られるインクの静的表面張力が表１−１〜１−３の下段に示す値となるように「アセチレノールＥ１００」の含有量を調整した。静的表面張力は、自動表面張力計（商品名「ＤＹ−３００」、協和界面科学製）を用いて測定した。イオン交換水の使用量は、成分の合計量が１００．０％となる残量とした。インク調製時の溶存ガスの影響を除外して評価するために、汎用の脱気モジュールを使用して溶存酸素量が２ｍｇ／Ｌ以下となるまでインクを脱気した。溶存酸素量は、溶存酸素計（商品名「ポータブル型溶存酸素計ＯＭ−７１−Ｌ１」、ＨＯＲＩＢＡ製）を使用して測定した。
【００５７】
2017087717.tif 000003
【００５８】
2017087717.tif 000004
【００５９】
2017087717.tif 000005
【００６０】
＜評価＞
図１に示す主要部の構成を有するとともに、図２に示す構成のインク供給系を組み込んだインクジェット記録装置を用意した。インク供給チューブとしては、単層の樹脂材料で形成されるとともに、図３に示す形状を有するものを用いた。各インクに対応するメインタンク及びサブタンクのインク最大収容量は、メインタンクのインク最大収容量を８０ｍＬ、サブタンクのインク最大収容量を１２ｍＬとした。各インクの静的表面張力及びそれらの関係を表２−１に示し、チューブの水蒸気透過量を表２−２に示す。さらに、表２−２に示す各チューブに対応するインクを、インク最大収容量を基準として９５％となるように各メインタンクから注入し、インク供給系にインクを満たした。実施例及び比較例で使用したサブタンクの構成を以下に示す。
【００６１】
［実施例１〜１９及び比較例４〜６］
熱可塑性樹脂で形成された筺体に、熱エネルギーを付与してインクを吐出する記録ヘッドを備えた記録素子基板を貼り合わせた形態とした。
［比較例１及び２］
熱可塑性樹脂で形成された筺体に、アルミナで形成された放熱板を介して、熱エネルギーを付与してインクを吐出する記録ヘッドを備えた記録素子基板を貼り合わせた形態とした。
［比較例３］
熱可塑性樹脂で形成された筺体に、力学的エネルギーをピエゾ素子により付与してインクを吐出する記録ヘッドを備えた記録素子基板を貼り合わせた形態とした。
【００６２】
メインタンクに収容されたインクの温度Ｔ1（℃）及びサブタンクに収容されたインクの温度Ｔ2（℃）を表２−２に示す。インクの温度は以下のようにして調整した。メインタンクに収容されたインクの温度は、評価を行う環境の温度設定により調整した。サブタンクに収容されたインクの温度は、サブタンクの外部に設けた温度調整ユニットを利用して調整した。但し、Ｔ2＝Ｔ1の場合は、メインタンクと同様に評価を行う環境の温度設定により調整した。本実施例においては、１／６００インチ×１／６００インチの単位領域に、１滴当たりの質量が５．５ｎｇであるインク滴を２滴付与する条件で記録したベタ画像の記録デューティを１００％と定義した。本発明においては、以下に示す評価基準で、「ＡＡ」、「Ａ」及び「Ｂ」を許容できるレベルとし、「Ｃ」を許容できないレベルとした。評価結果を表３に示す。
【００６３】
（吐出安定性）
Ａ４サイズのＰＰＣ用紙の全面に、３種のインクの各記録デューティが２％（合計６％）であるベタ画像を２０枚分記録した後、１時間記録を休止し、その後ノズルチェックパターンを１枚記録する、というサイクルを繰り返した。ＰＰＣ用紙としては、商品名「ＧＦ−５００」（キヤノン製）を使用した。そして、所定枚数のベタ画像を記録した後のノズルチェックパターンを目視で確認し、以下に示す評価基準にしたがって吐出安定性を評価した。
【００６４】
本評価では、記録枚数を多くすることで評価開始からの経過時間を長くしている。これは、メインタンク内でインクと空気が接触する時間を長くして、メインタンク内のインク中の溶存ガス量が増加しやすい条件とするためである。所定枚数を記録した後のインク中の溶存酸素量を測定したところ、いずれも５〜７ｍｇ／Ｌの範囲内であり、初期の溶存酸素量（２ｍｇ／Ｌ以下）よりも増加していることが確認された。そして、累積記録枚数が多くなってもノズルチェックパターンに乱れ生じなければ、気泡に起因する吐出安定性の低下が抑制されたことを意味する。一方、ノズルチェックパターンに乱れが生じた場合、増加したインク中の溶存ガスに起因する気泡が記録ヘッドのインク流路にまで侵入し、インクの正常な吐出が妨げられたことを意味する。
ＡＡ：ベタ画像を７，０００枚分記録した後のノズルチェックパターンに殆ど乱れがなかった。
Ａ：ベタ画像を６，０００枚分記録した後のノズルチェックパターンに若干の乱れがあった。
Ｂ：ベタ画像を５，０００枚分記録した後のノズルチェックパターンに若干の乱れがあった。
Ｃ：ベタ画像を３，０００枚分記録した後のノズルチェックパターンに若干の乱れがあった。
【００６５】
（耐ブリーディング性）
上記のインクジェット記録装置を用いて、以下に示すパターンの画像を記録媒体（普通紙、商品名「Ｃａｎｏｎ  Ｏｆｆｉｃｅ」、キヤノン製）に記録した。すなわち、シアン又はマゼンタインクの記録デューティが１００％であるベタ画像（縦０．５ｍｍ×横２ｃｍ）の上下に、イエローインクの記録デューティが１００％であるベタ画像（縦２ｍｍ×２ｃｍ）を隣接して記録したパターンの画像を記録した。ベタ画像の境界部を目視で確認し、以下に示す評価基準にしたがって耐ブリーディング性を評価した。
Ａ：ブリーディングが生じていなかった。
Ｂ：ブリーディングが生じていたが、境界は確認できた。
Ｃ：境界がわからないほどブリーディングが生じていた。
【００６６】
2017087717.tif 000006
【００６７】
2017087717.tif 000007
【００６８】
2017087717.tif 000008
【図１】
2017087717.tif 000009
【図２】
2017087717.tif 000010
【図３】
2017087717.tif 000011